(57)【要約】      （修正有）【課題】田畑の野焼きや工場の排煙が地球環境問題のひとつに取り上げられているが、これ等の対策として様々な有害物排出に関する規制に従うためには多大な費用を要する。一方、廃棄物を単に燃やすのでなくこれを炭化させてその炭の有効利用を行い、二酸化炭素その他有害物算出抑制をはかる試みも行われている。そのための炭化炉が実際に農地などで成果をあげ始めたが、これを一層便利で現地への運搬も容易なものにする必要性が残されていた。このようなニーズに応じることのできるコンパクトな炭化炉を提供する。【解決手段】側壁に多数の貫通孔１を有する筒状燃焼塔２を中央部に垂立させ、その上縁部から下方にかけて下広がりに傾斜するテント状不燃屋根３を形成させる。また、側壁に多数の貫通孔を有する筒状燃焼塔と、その上縁部から下方にかけて下広がりに傾斜するテント状不燃屋根を形成するに足る不燃屋根材とを主要部材として含む組立用セットにする。【選択図】図１
0003105666.tif 000002
【実用新案登録請求の範囲】
【考案の詳細な説明】
【技術分野】
【０００１】  この考案は、籾殻その他農業副産物などを現地で簡便かつ分散的に炭化させることのできるテント型炭化炉及びその組立セットに関する。
【背景技術】
【０００２】  いわゆる炭化炉としては炭焼きとして知られているものから大型装置に至るまで各種の形態のものがあるが、農業作物の収穫後に大量に生成する籾殻や枝葉などの副産物については、これを有効に炭化させる実用的な装置が無かったために野焼き等によって大量の煙を発生させながら燃やすこともあった。そこで本考案者は既に、ドラム缶をベースに用いてかかる農業副産物などを効率よく炭化させることのできる炭化炉を提案済みである（例えば、技術文献１参照）。【０００３】
【技術文献１】
特願２００３−８６５３８
【考案の開示】
【考案が解決しようとする課題】
【０００４】  地球環境問題が厳しく問われる時代、田畑の野焼きや工場の排煙が取り沙汰されている。これ等の対策としてダイオキシンその他有害物排出に関する規制に従うためには多大な費用を要する。一方、廃棄物を単に燃やすのでなく、これを炭化させることによりその炭の有効利用を行い、二酸化炭素その他有害物算出抑制をはかる試みも行われている。【０００５】  そのための炭化炉が実際に農地などで成果をあげ始めたが、これを一層便利で現地への運搬も容易なものにする必要性が残されていた。本考案はこのようなニーズに応じることのできるコンパクトな炭化炉を提供することを課題とする。
【課題を解決するための手段】
【０００６】  側壁に多数の貫通孔１を有する筒状燃焼塔２を中央部に垂立させ、その上縁部から下方にかけて下広がりに傾斜するテント状不燃屋根３を形成して、本考案のテント型炭化炉とする。【０００７】  但しその貫通孔１を有する筒状燃焼塔２と、その上縁部から下方にかけて下広がりに傾斜するテント状不燃屋根３を形成するに足る不燃屋根材３Ｐとを主要部材として含むセットから成る組立用製品にしてもよい。【０００８】  筒状燃焼塔２は、図面のように下端部が広がった逆さ漏斗状にすることが好ましい。これはその内部に燃焼物を収容し、また塔の安定性を増すのに好都合だからである。【０００９】  テント状不燃屋根３は、主として複数枚の金属やセラミック等からなる不燃屋根材３Ｐによって形成されるが、これは便宜上の呼称であることは勿論である。【００１０】  その際、各不燃屋根材３Ｐを連結する手段は、不燃性の接着剤、或いはフック状の止め具４を使う方法などがあり、これにより図面のようなピラミッド形のものにすることも容易である。【００１１】  筒状燃焼筒２の上端開口部からは煙が排出されるが、これを除くために消煙具５を取付けることが望ましい。そのために特に適したものとして、本考案者が既に出願済の脱煙装置がある。【００１２】  なお、テント状不燃屋根３の下部にはカバー付きの小さな空気流入口５を設けることが望ましい。
【作用】
【００１３】  本考案の炭化炉を使用するには、先ず農地近辺の平坦な地面上に筒状燃焼塔２を垂立してその周りに炭化させるべき農産物廃材６を集めて堆積し、更にテント状不燃屋根３で傾斜外壁を形成して火種を筒状燃焼塔２の上方から投入し、予めその中に入れてある紙屑等を着火させる。その燃焼熱は筒状燃焼塔２とテント状不燃屋根３との間に収められた農産物廃材６に移行してこれを蒸し焼き状にし、やがてこれを炭化させることになる。
【考案の効果】
【００１４】  本考案のテント型炭化炉は、軽量で分断及び組立が容易であるから、これを様々な農地などの農産物廃材を生じる現場に運搬し組み立てるにも便利であり、また傾斜屋根の頂上部に煙の排出口がくることから、上昇気流の勢いも消煙具に集中しやすく、消煙すれば野焼き禁止にも対応でき、廃材有効利用の環境に優しい分散型炭化炉を低コストに提供できるなどの効果がある。
【考案を実施するための最良の形態】
【００１５】  下端がスカート状に広がりその上方が筒状である金属又はセラミックス製の筒状燃焼塔２に図面のように貫通孔１を多数形成し、上端には消煙具５を取付けるものとする。【００１６】  この消煙具５は次のようなものが甚だ効果的である。すなわち図２のように、円筒の下端を網体で仕切られる円錐形の煙通路８とし、その外側に本考案者開発の種子殻炭付き綿９を収容したものである。これは排煙の流れをあまり阻害することなく煙量を大幅に減少できることが実証されており、また排煙吸着済みの種子殻炭付き綿９は、これをビニールハウス等の中に置くと、害虫の忌避効果を有することも判明している。【００１７】  この消煙具５付き筒状燃焼塔２の上端部より、図３のような珪カル或いはロックウール等からなる断熱層３ＰＡとアルミやステンレス等の板金層３ＰＢの積層構造の不燃屋根材３Ｐを４面斜めに取付けてピラミッド形テント状不燃屋根３に形成する。
【実施例１】
【００１８】  先ず畠の中の副産物を高さ約１．５ｍの前記燃焼塔の周りに集めて積立てる。その上縁部より前記の不燃屋根材を斜めに取付けてピラミッド形に形成し、ジョイントフックで固定する。頂上部に取付ける前記の消煙具５において、使用する綿のベース繊維はレーヨンとし、種子殻炭は松の種子殻の微粉化炭とする。組み立て後に前記の要領に従って着火して放置し、煙が薄くなったら空気流入口６を全部閉じて放置すれば炭化物を得るので、これを練炭等の固形燃料や土壌改良材等に使用する。なお消煙に使用された綿は取り出して害虫忌避用にも使用し、更にこれを天日に干して再生し、消煙用に再使用する。
【産業上の利用可能性】
【００１９】  既に述べたように、本考案は農地など現場の状況に合わせて様々な規格・寸法のものを予め低コストに量産し、これを容易に運搬し組み立てて使用でき、また排煙も除去しやすいから、甚だ実情に合ったものとなり、産業上の利用可能性は甚大なものがある。
【図面の簡単な説明】
【００２０】
【図１】本考案一例を透視化した見取図
【図２】本考案に使用する消煙具一例の断面図
【図３】本考案に使用する不燃屋根材一例の部分断面図
【符号の説明】
【００２１】  １……貫通孔
２……筒状燃焼塔
３……テント状不燃屋根
３Ｐ……不燃屋根材
３ＰＡ……断熱層
３ＰＢ……板金層
４……止め具
５……消煙具
６……空気流入孔
７……農産物廃材
８……煙通路
９……種子殻炭付き綿
【図１】
0003105666.tif 000003
【図２】
0003105666.tif 000004
【図３】
0003105666.tif 000005
【手続補正書】
【提出日】平成16年2月7日(2004.2.7)
【手続補正１】
【補正対象書類名】実用新案登録請求の範囲
【補正対象項目名】全文
【補正方法】変更
【補正の内容】
【実用新案登録請求の範囲】
【請求項１】
側壁に多数の貫通孔を有する筒状燃焼塔を中央部に垂立させ、その上縁部から下方にかけて下広がりに傾斜するテント状不燃屋根を形成して成ることを特徴とするテント型炭化炉。
【請求項２】
側壁に多数の貫通孔を有する筒状燃焼塔と、その上縁部から下方にかけて下広がりに傾斜するテント状不燃屋根を形成するに足る不燃屋根材とを主要部材として含むセットから成ることを特徴とするテント型炭化炉組立セット。